(57)【要約】【課題】  １つの通話先を選択することにより、複数の通話先を着信候補にし、着信候補の中から最適な通話先を選択するため、手間を掛けずに通話先を選択することができ、さらに多くの通話先の番号の管理を不要とすることができる回線制御装置を提供する。【解決手段】  複数の移動無線端末のうち、発呼した任意の移動無線端末が有する識別情報と着呼先情報とを受信する受信手段１０１と、受信された発呼した任意の移動無線端末の識別情報と、位置情報格納部の複数の移動無線端末の位置情報及び識別情報とに基づいて、発呼した任意の移動無線端末の位置情報を検出する検出手段１０２と、検出された発呼した任意の移動無線端末の位置情報及び受信された着呼先情報と、着呼先情報格納部の着呼先情報とに基づいて、着呼先の移動無線端末を決定する決定手段１０３と、決定された着呼先の移動無線端末へ呼び出し中である旨を通知する通知手段１０４とを備える。【選択図】  図１
2006025074.tif 000002
【特許請求の範囲】
【請求項１】
同一の通信エリア内に入っている複数の移動無線端末間の通信又は相異なる通信エリア内にそれぞれ入っている複数の移動無線端末間の通信を中継する１つ以上の無線基地局と、前記無線基地局を介して前記同一又は相異なる通信エリア内の移動無線端末間の通信を制御する回線制御装置とがネットワークを介してそれぞれ接続された移動無線端末通信システムにおける前記回線制御装置であって、
前記回線制御装置には、前記同一又は相異なる通信エリア内に入っている前記複数の移動無線端末それぞれの位置情報及び識別情報を関連付けて格納する位置情報格納部と、
前記複数の移動無線端末それぞれに割り振られ、着信させるための着呼先情報を格納する着呼先情報格納部とがそれぞれ接続され、
前記複数の移動無線端末は、それぞれ前記識別情報及び前記着呼先情報を有し、
前記回線制御装置は、前記複数の移動無線端末のうち、発呼した任意の移動無線端末が有する前記識別情報と前記着呼先情報とを、前記無線基地局を介して前記発呼した任意の移動無線端末から受信する受信手段と、
前記受信手段によって受信された前記発呼した任意の移動無線端末の前記識別情報と、前記位置情報格納部に格納された前記複数の移動無線端末の前記位置情報及び前記識別情報とに基づいて、前記発呼した任意の移動無線端末の前記位置情報を検出する検出手段と、
前記検出手段によって検出された前記発呼した任意の移動無線端末の前記位置情報及び前記受信手段によって受信された前記着呼先情報と、前記着呼先情報格納部に格納された前記着呼先情報とに基づいて、着呼先の移動無線端末を決定する決定手段と、
前記決定手段によって決定された前記着呼先の移動無線端末に対して、呼び出し中である旨を通知する通知手段とを、
備える回線制御装置。
【請求項２】
前記通知手段による呼び出し中である旨の通知によって、前記発呼した任意の移動無線端末と前記着呼先の移動無線端末との通信が確立されない場合に、前記呼び出し中である旨の通知を、前記着呼先の移動無線端末以外の移動無線端末へ転送する転送手段をさらに備える請求項１に記載の回線制御装置。
【発明の詳細な説明】
【技術分野】
【０００１】
本発明は、複数の移動無線端末間の通信を制御する回線制御装置に関する。
【背景技術】
【０００２】
従来から、ＰＨＳ（Personal Handy phone System）などの移動無線端末が、ＬＡＮ（Local Area Network）に接続された無線基地局やＰＢＸ（Private Branch eXchange）を介して、同じＬＡＮに接続された公衆回線網に接続された端末と通信を行う通信システムがある。このような通信システムについて図９を用いて説明する。図９に示す通信システム９００では、ＬＡＮ９０６に、回線コントローラ（回線制御装置）９０１、無線基地局であるＣＳ（Cell Station）９０２、ＰＳＴＮ（Private Switch Telephone Network）アダプタ（以下、回線接続装置とも言う）９０４が接続されている。公衆回線９０５は回線接続装置９０４を介してＬＡＮ９０６に接続されている。ＰＨＳ９０３ａ、９０３ｂはＣＳ９０２を介して通信を行っている。ここで、回線コントローラ９０１は、ＣＳ９０２や回線接続装置９０４を制御するソフトウェアを動かすＰＣ（Personal Computer）などである。なお、それぞれのＰＨＳ９０３ａ、９０３ｂには、固有の内線番号が割り振られている。このような通信システムが下記の特許文献１に開示されている。
【特許文献１】特開平１０−３０８９６６号公報（図１）
【発明の開示】
【発明が解決しようとする課題】
【０００３】
しかしながら、特許文献１に開示されたような通信システムで通話を行う場合、ユーザは、登録された通話先の番号の中から、適切な通話先を選択しなければならず、選択の手間が掛かるという問題があった。とりわけ、通信システムが大規模である場合には、数多くのＣＳやＰＨＳが組み込まれているため、多くの番号を管理しなければならず、より番号の選択に手間が掛かるという問題があった。
【０００４】
本発明は、上記問題を解決するためのものであり、１つの通話先を選択することにより、複数の通話先を着信候補にし、着信候補の中から最適な通話先を選択するため、手間を掛けずに通話先を選択することができ、さらに多くの通話先の番号の管理を不要とすることができる回線制御装置を提供することを目的とする。
【課題を解決するための手段】
【０００５】
上記目的を達成するために、本発明によれば、同一の通信エリア内に入っている複数の移動無線端末間の通信又は相異なる通信エリア内にそれぞれ入っている複数の移動無線端末間の通信を中継する１つ以上の無線基地局と、前記無線基地局を介して前記同一又は相異なる通信エリア内の移動無線端末間の通信を制御する回線制御装置とがネットワークを介してそれぞれ接続された移動無線端末通信システムにおける前記回線制御装置であって、前記回線制御装置には、前記同一又は相異なる通信エリア内に入っている前記複数の移動無線端末それぞれの位置情報及び識別情報を関連付けて格納する位置情報格納部と、前記複数の移動無線端末それぞれに割り振られ、着信させるための着呼先情報を格納する着呼先情報格納部とがそれぞれ接続され、前記複数の移動無線端末は、それぞれ前記識別情報及び前記着呼先情報を有し、前記回線制御装置は、前記複数の移動無線端末のうち、発呼した任意の移動無線端末が有する前記識別情報と前記着呼先情報とを、前記無線基地局を介して前記発呼した任意の移動無線端末から受信する受信手段と、前記受信手段によって受信された前記発呼した任意の移動無線端末の前記識別情報と、前記位置情報格納部に格納された前記複数の移動無線端末の前記位置情報及び前記識別情報とに基づいて、前記発呼した任意の移動無線端末の前記位置情報を検出する検出手段と、前記検出手段によって検出された前記発呼した任意の移動無線端末の前記位置情報及び前記受信手段によって受信された前記着呼先情報と、前記着呼先情報格納部に格納された前記着呼先情報とに基づいて、着呼先の移動無線端末を決定する決定手段と、前記決定手段によって決定された前記着呼先の移動無線端末に対して、呼び出し中である旨を通知する通知手段とを備える回線制御装置が提供される。
【０００６】
また、本発明の回線制御装置において、前記通知手段による呼び出し中である旨の通知によって、前記発呼した任意の移動無線端末と前記着呼先の移動無線端末との通信が確立されない場合に、前記呼び出し中である旨の通知を、前記着呼先の移動無線端末以外の移動無線端末へ転送する転送手段をさらに備えることは、本発明の好ましい態様である。
【発明の効果】
【０００７】
本発明の回線制御装置は、上記構成を有し、１つの通話先を選択することにより、複数の通話先を着信候補にし、着信候補の中から最適な通話先を選択するため、手間を掛けずに通話先を選択することができ、さらに多くの通話先の番号の管理を不要とすることができる。
【発明を実施するための最良の形態】
【０００８】
以下、本発明の実施の形態について図１から図８を用いて説明する。図１は本発明の実施の形態に係る回線制御装置の構成を示す図である。図２は本発明の実施の形態に係る回線制御装置を含む通信システムの構成を示す図である。図３は本発明の実施の形態に係る回線制御装置を含む通信システムの動作フローを説明するための図である。図４は本発明の実施の形態に係る回線制御装置が移動無線端末の所持者の現在地を認識する際に用いられる移動無線端末の所持者とその所持者の現在地との対応関係を示す図である。図５は本発明の実施の形態に係る回線制御装置が着呼先を呼び出すために用いられる特定内線番号を示す図である。図６は本発明の実施の形態に係る回線制御装置が優先度に基づいて着呼先を決定する場合に用いられる優先度情報を示す図である。図７は本発明の実施の形態に係る回線制御装置が電話転送する場合の操作フローを示すフローチャートである。図８は本発明の実施の形態に係る回線制御装置における呼制御のフローについて説明するためのフローチャートである。
【０００９】
まず、本発明の実施の形態に係る回線制御装置を含む通信システムの構成について図２を用いて説明する。図２に示すように、通信システム２００を店舗に利用した場合を考える。このとき、店舗内を、例えばサーバ室２１０、売り場Ａ２１１、売り場Ｂ２１２、警備室２１３に分ける。サーバ室２１０には、回線制御装置１００、ＰＳＴＮアダプタ２０３、位置情報格納メモリ（上述した位置情報格納部に相当）２０５、特定内線番号情報格納メモリ（上述した着呼先情報格納部に相当）２０６、優先度情報格納メモリ２０７、音声情報格納メモリ２０８、文字情報格納メモリ２０９が含まれている。ＰＳＴＮアダプタ２０３は、不図示の公衆回線接続端末と公衆回線２１４を介して接続されている。
【００１０】
売り場Ａ２１１には、ＣＳ２０１ａ、２０１ｂが設置され、移動無線端末２０２ａ、２０２ｂ、２０２ｃが存在している。売り場Ｂ２１２には、ＣＳ２０１ｃが設置され、移動無線端末２０２ｄ、２０２ｅが存在している。警備室２１３には、ＣＳ２０１ｄが設置され、移動無線端末２０２ｆが存在している。サーバ室２１０の回線制御装置１００及びＰＳＴＮアダプタ２０３と、売り場Ａ２１１のＣＳ２０１ａ及び２０１ｂと、売り場Ｂ２１２のＣＳ２０１ｃと、警備室２１３のＣＳ２０１ｄは、ＬＡＮ２０４を介して接続されている。ＣＳ２０１ａ〜２０１ｄは、移動無線端末２０２ａ〜２０２ｆが所定のエリアに存在するときに交信可能となるように位置登録エリアの設定がされたものである。
【００１１】
移動無線端末２０２ａ及び２０２ｄは、例えば店舗の利用客が所持するものであり、移動無線端末２０２ｃ及び２０２ｅは、例えば、売り場Ａ２１１及び売り場Ｂ２１２の担当の係員がそれぞれ所持するものであり、移動無線端末２０２ｂ及び２０２ｆは、例えば警備員が所持するものである。移動無線端末２０２ａ〜２０２ｆとしては、例えば第２世代コードレス電話機と呼ばれる位置登録機能を有するＰＨＳが考えられる。また、移動無線端末２０２ａ〜２０２ｆのそれぞれは、後述するＰＨＳ番号や特定内線番号などの情報をあらかじめ有している。
【００１２】
また、サーバ室２１０の回線制御装置１００は、従来の回線制御機能の他に、特定の内線番号の発呼があった場合に、位置情報格納メモリ２０５、特定内線番号情報格納メモリ２０６、優先度情報格納メモリ２０７を参照して、適切な着呼先を判断の上、呼の接続をすることができる。詳細については後述する。位置情報格納メモリ２０５には、移動無線端末（以下、ＰＨＳとも言う）２０２ａ〜２０２ｆの所持者の現在地の位置情報が格納されている。回線制御装置１００は、ＣＳ２０１ａ〜２０１ｄを介して移動無線端末２０２ａ〜２０２ｆから位置情報を受信し、受信した位置情報を位置情報格納メモリ２０５に格納する。位置情報は、定期的に受信されるようにしてもよい。
【００１３】
次に、上述した通信システムの動作フローについて図３を用いて説明する。この通信システム２００は、例えばデパートやスーパーマーケットなどの店舗において、係員の呼び出しや音声案内などのサービスを、ＰＨＳを所持した者に対して提供する際に用いられる。そして、この通信システム２００によれば、例えば、利用客が売り場の係員を呼び出す場合、同じ内線番号にどこの売り場から掛けても、利用客の現在地に応じた適切な係員を呼び出すことができる。ここで、ＰＨＳ２０２ａを所持する利用客が、係員を呼び出すためにＰＨＳ２０２ａを発呼した場合について考える。
【００１４】
ＰＨＳ２０２ａを所持する利用客が、係員を呼び出すために所定の内線番号（以下、特定内線番号とも言う）に発呼すると、回線制御装置１００が発呼を検出する。ここで、ＰＨＳ２０２ａ〜２０２ｆの所持者とその所持者の現在地との対応関係を図４に示し、特定内線番号について図５に示し、それぞれについて説明する。まず、ＰＨＳ２０２ａ〜２０２ｆの所持者とその所持者の現在地との対応関係については、図４に示すように、ＰＨＳ２０２ａ〜２０２ｆは、それぞれ利用客、売り場の係員、警備員に所持されている。例えば、ＰＨＳ２０２ａは、利用客に保持され、ＰＨＳ番号１が割り振られている。また、ＰＨＳ２０２ｄは、ＰＨＳ２０２ａの所持者とは違う利用客に所持され、ＰＨＳ番号２が割り振られている。同様にして、他のＰＨＳに対してもＰＨＳ番号３〜６がそれぞれ割り振られている。このＰＨＳ番号が、上述した移動無線端末の識別情報に相当する。また、図４により、ＰＨＳ２０２ａを所持する利用客は、売り場Ａ２１１に居ることがわかる。
【００１５】
また、特定内線番号については、図５に示すように、例えば、特定内線番号が１０００の場合には、着呼先が係員となり、特定内線番号が２０００の場合には、着呼先が警備員となる。また、特定内線番号が３０００の場合には、着呼先が音声案内の取得先となり、特定内線番号が４０００の場合には、着呼先が英語の音声案内の取得先となる。図５に示す特定内線番号と着呼先との関係は、上述した特定内線番号情報格納メモリ２０６に格納されている。この特定内線番号が上述した着呼先情報に相当する。なお、特定内線番号と着呼先との対応は、これに限られるものではない。
【００１６】
ＰＨＳ２０２ａを所持する利用客が、係員を呼び出すためにＰＨＳ２０２ａを発呼した場合の説明に戻り、回線制御装置１００は、発呼を検出すると、その着番号をチェックし（ステップＳ３０１）、その着番号が特定内線番号であるか否かを判断する（ステップＳ３０２）。ここで、回線制御装置１００は、着番号をチェックした際に、着番号が特定内線番号ではないと判断された場合には、通常の回線制御を行う（ステップＳ３０３）。着番号が特定内線番号であると判断された場合には、回線制御装置１００は、発呼してきた側の番号（以下、発番号とも言う）と、位置情報格納メモリ２０５に格納された情報とに基づいて、発呼者の現在地をチェックする（ステップＳ３０４）。この発番号が上述したＰＨＳ番号に相当する。
【００１７】
回線制御装置１００は、着番号と特定内線番号情報格納メモリ２０６に格納された情報とに基づいて、着呼先が音声案内の取得先であるか否かを判断する（ステップＳ３０５）。着呼先が音声案内の取得先であると判断された場合には、回線制御装置１００は、音声案内を発呼者へ送信する（ステップＳ３０６）。一方、ステップＳ３０５において、着呼先が音声案内の取得先でない場合、すなわち、回線制御装置１００は、発呼者の現在地に基づいて、着呼先が売り場Ａ２１１に居る係員の所持するＰＨＳ２０２ｃであると判断すると、発呼者である利用客の所持するＰＨＳ２０２ａへ呼び出し中を知らせる音（以下、ＲＢＴとも言う）を送信し（ステップＳ３０７）、一方、売り場Ａ２１１に居る係員の所持するＰＨＳ２０２ｃへ発呼者の現在地やＰＨＳ番号などの情報を含めた発呼者情報を送信し、同時にＰＨＳ２０２ｃを鳴動させる（ステップＳ３０８）。送信された発呼者情報により、ＰＨＳ２０２ｃの表示部には、例えば、「ＰＨＳ番号１、売り場Ａ２１１の西側」と表示される。
【００１８】
この例では、係員を呼び出すために特定内線番号１０００番を発呼したＰＨＳ２０２ａを所持する利用客は、売り場Ａ２１１に居るため、この発呼に対する着呼先は売り場Ａ２１１の担当の係員が所持するＰＨＳ２０２ｃとなっている。仮に、ＰＨＳ２０２ａを所持する利用客が売り場Ｂ２１２に居るとすると、着呼先は売り場Ｂ２１２の担当の係員が所持する２０２ｅとなる。
【００１９】
なお、上述した例では、着呼先として、ＰＨＳ２０２ａを所持する利用客が居る売り場Ａ２１１の担当の係員が所持するＰＨＳ２０２ｃを選択しているが、できる限り近くに居る係員を選択するように、あらかじめ着呼先の優先度を設定しておいてもよい。例えば、図６に示すような優先度情報を設定し、上述した優先度情報格納メモリ２０７に格納する。図６に示す例では、売り場Ａ２１１に居る利用客が特定内線番号１０００番を発呼した場合、最優先される着呼先は売り場Ａ２１１に居る係員であり、仮に、売り場Ａ２１１に係員が不在の場合には、売り場Ｂ２１２に居る係員が着呼先として選択される。このように、優先度を設けて、着呼先を選択するようにもできる。なお、着呼先の係員などの現在地は、上述した位置情報格納メモリ２０５に格納された位置情報に基づいて判断される。
【００２０】
また、回線制御装置１００が、着呼先が音声案内の取得先であると判断した場合に、上述した音声情報格納メモリ２０８に格納されたメッセージを発呼者へ送信する。これにより、例えば、各売り場の買い得情報などを送信することができる。また、発呼者の現在地に応じた適切なメッセージを送信することも可能である。この場合、現在地に応じたメッセージをあらかじめ格納しておく必要がある。このように、利用客は、特定内線番号１０００番という１つの番号を利用するだけで、どこの売り場にいても適切な係員への接続などが自動的に行われる。そして、売り場の係員は、発呼者の所在地が分かるため、利用客を探し出すことが容易になる。
【００２１】
なお、上述した例では、音声通話に関して説明したが、メール機能を利用する場合にも応用することができる。例えば、ＰＨＳ２０２ａを所持する利用客が売り場の係員にメールで問い合わせを行いたい場合に、特定内線番号１０００番を指定することにより、上述した着呼先の判断と同様に適切な相手先が決定され、メッセージなどを送信できる。このとき、複数の相手へ同時に送信するようにしてもよい。
【００２２】
ところで、売り場の係員は、他の接客を行っているなどの理由により、ステップＳ３０８のように、所持するＰＨＳが鳴動されても、即座に応答することができるとは限らない。そのような場合に対して、他の係員への電話転送を以下に示す操作によって実現することができる。電話転送の操作フローについて図７を用いて説明する。まず、着呼者は、自身が所持するＰＨＳに着信があった場合、応答することができればオフフックし応答するが、応答することができず、転送を希望する場合には、いったんオフフックした上であらかじめ設定された時間、例えば３秒以内にオンフックすることにより、転送される。ここで、オフフックとは通話を開始することを言い、オンフックとは通話を切断することを言う。
【００２３】
回線制御装置１００は、着信に対して着呼者が応答したか否かを判断する（ステップＳ７０１）。着呼者が応答したと判断された場合、回線制御装置１００は、設定時間内に着呼者が切断したか否かを検出する（ステップＳ７０２）。切断されていないと検出された場合には、回線制御装置１００は、着呼者が応答するものと判断し、通常通り、呼を接続する（ステップＳ７０３）。一方、設定時間内に切断されたと検出された場合には、回線制御装置１００は、転送先を決める（ステップＳ７０４）。転送先は、上述したように、最も近くに居る者を位置情報格納メモリ２０５に格納された情報に基づいて決めてもよい。また、優先度情報格納メモリ２０７に格納されている情報に基づいて決めてもよい。新たな転送先が決まると、回線制御装置１００は、発呼者へＲＢＴを送信する（ステップＳ７０５）。そして、回線制御装置１００は、新たな転送先の着呼者に対して、発呼者の現在地やＰＨＳ番号などの情報を含めた発呼者情報を送信し、同時にＰＨＳを鳴動させる（ステップＳ７０６）。なお、ステップＳ７０１において、着呼者が応答しないと判断された場合、回線制御装置１００は、発呼者自らが発呼を切断したか否かを判断する（ステップＳ７０７）。発呼者自らが発呼を切断したと判断された場合、回線制御装置１００は、無線チャネルを開放する（ステップＳ７０８）。発呼者自らが発呼を切断していないと判断された場合、ステップＳ７０１へ戻る。
【００２４】
次に、本発明の実施の形態に係る回線制御装置の構成について、図１を用いて説明する。図１に示すように、回線制御装置１００は、受信部１０１、検出部１０２、決定部１０３、通知部１０４、転送部１０５から構成されている。これらは、バス１０６によってつながれている。また、回線制御装置１００は、自身の動作を制御するための制御プログラムが不図示の記憶領域に格納されており、その制御プログラムによって動作制御されている。また、回線制御装置１００は、外部との通信を行うために、不図示のインタフェースを備えている。
【００２５】
受信部１０１は、複数の移動無線端末２０２ａ〜２０２ｆのうち、発呼した任意の移動無線端末、例えば、ＰＨＳ２０２ａが有する識別情報と着呼先情報とを、ＣＳ２０１ａを介してＰＨＳ２０２ａから受信する。ここで、移動無線端末の識別情報は、上述した図４に示すＰＨＳ番号に相当するものであり、着呼先情報は、上述した図５に示す特定内線番号に相当するものである。検出部１０２は、受信部１０１によって受信されたＰＨＳ２０２ａの識別情報（ＰＨＳ番号）と、位置情報格納メモリ２０５に格納された複数の移動無線端末２０２ａ〜２０２ｆの位置情報及び識別情報（ＰＨＳ番号）とに基づいて、ＰＨＳ２０２ａの位置情報を検出する。
【００２６】
決定部１０３は、検出部１０２によって検出されたＰＨＳ２０２ａの位置情報及び受信部１０１によって受信された着呼先情報（特定内線番号）と、着呼先情報格納メモリ（特定内線番号情報格納メモリ）２０６に格納された着呼先情報（特定内線番号）とに基づいて、着呼先の移動無線端末（ＰＨＳ）を決定する。通知部１０４は、決定部１０３によって決定された着呼先の移動無線端末（ＰＨＳ）に対して、呼び出し中である旨を通知する。ここで、呼び出し中である旨とは、例えば、上述した発呼者情報を言う。転送部１０５は、通知部１０４によって決定された着呼先の移動無線端末（ＰＨＳ）に呼び出し中である旨の通知がされたが、決定された着呼先の移動無線端末（ＰＨＳ）が通信できない場合には、他の移動無線端末（ＰＨＳ）に呼び出し中である旨を転送する。
【００２７】
次に、本発明の実施の形態に係る回線制御装置における呼制御のフローについて図８を用いて説明する。まず、受信部１０１は、複数の移動無線端末２００ａ〜２００ｆのうちの、例えば、ＰＨＳ２０２ａが有する識別情報（ＰＨＳ番号）と着呼先情報（特定内線番号）とを、ＣＳ２０１ａを介してＰＨＳ２０２ａから受信する（ステップＳ８０１）。検出部１０２は、受信部１０１によって受信されたＰＨＳ２０２ａの識別情報（ＰＨＳ番号）と、位置情報格納メモリ２０５に格納された複数の移動無線端末２０２ａ〜２０２ｆの位置情報及び識別情報（ＰＨＳ番号）とに基づいて、ＰＨＳ２０２ａの位置情報を検出する（ステップＳ８０２）。
【００２８】
決定部１０３は、検出部１０２によって検出されたＰＨＳ２０２ａの位置情報及び受信部１０１によって受信された着呼先情報（特定内線番号）と、着呼先情報格納メモリ（特定内線番号情報格納メモリ）２０６に格納された着呼先情報（特定内線番号）とに基づいて、着呼先の移動無線端末（ＰＨＳ）を決定する（ステップＳ８０３）。通知部１０４は、決定部１０３によって決定された着呼先の移動無線端末（ＰＨＳ）に対して、呼び出し中である旨を通知する（ステップＳ８０４）。なお、通知部１０４によって決定された着呼先の移動無線端末（ＰＨＳ）に呼び出し中である旨の通知がされたが、決定された着呼先の移動無線端末（ＰＨＳ）が通信できない場合には、転送部１０５は他の移動無線端末（ＰＨＳ）に呼び出し中である旨を転送する。
【産業上の利用可能性】
【００２９】
本発明に係る回線制御装置は、１つの通話先を選択することにより、複数の通話先を着信候補にし、着信候補の中から最適な通話先を選択するため、手間を掛けずに通話先を選択することができ、さらに多くの通話先の番号の管理を不要とすることができるため、複数の移動無線端末間の通信を制御する回線制御装置などに有用である。
【図面の簡単な説明】
【００３０】
【図１】本発明の実施の形態に係る回線制御装置の構成を示す図である。
【図２】本発明の実施の形態に係る回線制御装置を含む通信システムの構成を示す図である。
【図３】本発明の実施の形態に係る回線制御装置を含む通信システムの動作フローを説明するための図である。
【図４】本発明の実施の形態に係る回線制御装置が移動無線端末の所持者の現在地を認識する際に用いられる移動無線端末の所持者とその所持者の現在地との対応関係を示す図である。
【図５】本発明の実施の形態に係る回線制御装置が着呼先を呼び出すために用いられる特定内線番号を示す図である。
【図６】本発明の実施の形態に係る回線制御装置が優先度に基づいて着呼先を決定する場合に用いられる優先度情報を示す図である。
【図７】本発明の実施の形態に係る回線制御装置が電話転送する場合の操作フローを示すフローチャートである。
【図８】本発明の実施の形態に係る回線制御装置における呼制御のフローについて説明するためのフローチャートである。
【図９】従来の通信システムの構成を示す図である。
【符号の説明】
【００３１】
１００、９０１  回線制御装置（回線コントローラ）
１０１  受信部（受信手段）
１０２  検出部（検出手段）
１０３  決定部（決定手段）
１０４  通知部（通知手段）
１０５  転送部（転送手段）
１０６  バス
２００、９００  通信システム
２０１ａ〜２０１ｄ、９０２  ＣＳ（無線基地局）
２０２ａ〜２０２ｆ、９０３ａ、９０３ｂ  ＰＨＳ（移動無線端末）
２０３、９０４  ＰＳＴＮアダプタ（回線接続装置）
２０４、９０６  ＬＡＮ
２０５  位置情報格納メモリ（位置情報格納部）
２０６  特定内線番号情報格納メモリ（着呼先情報格納部）
２０７  優先度情報格納メモリ
２０８  音声情報格納メモリ
２０９  文字情報格納メモリ
２１０  サーバ室
２１１  売り場Ａ
２１２  売り場Ｂ
２１３  警備室
２１４、９０５  公衆回線
【図１】
2006025074.tif 000003
【図２】
2006025074.tif 000004
【図３】
2006025074.tif 000005
【図４】
2006025074.tif 000006
【図５】
2006025074.tif 000007
【図６】
2006025074.tif 000008
【図７】
2006025074.tif 000009
【図８】
2006025074.tif 000010
【図９】
2006025074.tif 000011